(57)【要約】    【課題】  笠木部材を塀本体に安定よく強固に固定することが出来ながら、しかも笠木部材を塀本体に固定するための部材が不用意に外部に露呈するのを抑制することが出来る塀構造を提供する。    【解決手段】  所定間隔開けて配設される支柱間に遮蔽材を介装してなる塀本体と、この塀本体の上端に沿って配設される笠木部材とが備えられた塀構造において、支柱の上端に、支柱の上端の形状よりも大きな平板状の連結板を螺子体を介して固定すると共に、この連結板の上面に笠木部材の底壁の下面を重ね、螺子体を連結板の下面側から連結板及び笠木部材に螺締して笠木部材を連結板に固定するようにし、また笠木部材における底壁の下面には、連結板が嵌合可能な嵌合溝を設けた。  【選択図】  図５
2005054495.tif 000002
【特許請求の範囲】
【請求項１】
所定間隔開けて配設される支柱間に遮蔽材を介装してなる塀本体と、この塀本体の上端に沿って配設される笠木部材とが備えられた塀構造において、
支柱の上端に、支柱の上端の形状よりも大きな平板状の連結板を螺子体を介して固定すると共に、この連結板の上面に笠木部材の底壁の下面を重ね、螺子体を連結板の下面側から連結板及び笠木部材に螺締して笠木部材を連結板に固定するようにしていることを特徴とする塀構造。
【請求項２】
請求項１に記載の塀構造に用いる笠木部材であって、その底壁の下面には、連結板が嵌合可能な嵌合溝が設けられていることを特徴とする塀構造に用いる笠木部材。
【発明の詳細な説明】
【技術分野】
【０００１】
本発明は、支柱間に遮蔽材を介装してなる塀本体と、この塀本体の上端に沿って配設される笠木部材とから構成される塀構造に関する。
【背景技術】
【０００２】
一般にこの種の塀は、複数本の支柱を所定間隔開けて立設して、この支柱間に、パネル状の遮蔽部材を組み付けると共に、支柱及び遮蔽部材の上端に沿って笠木部材を配設している。（特許文献１参照）
【特許文献１】特開平１１−１４１１９５号  ところで、従来のこの種の塀にあっては、笠木部材を塀本体側に組み付けるのに、例えば一対の固定片をＬ字状に配置したＬ型ブラケットを用意して、支柱の上端部側面にＬ型ブラケットの一方の固定片をビス止めすると共に、もう一方の固定片を笠木部材の下面にビス止めすることで、Ｌ型ブラケットを介して笠木部材を支柱の上端に固定することで、塀本体の上端に沿って笠木部材を配設するようにしている。
【０００３】
しかしながら以上の塀構造では、Ｌ型ブラケットにおける一方の固定片が支柱の上端部外側面にビス止めにより固定されることから、この固定片が支柱の側面から露呈して、塀の外観を損ねるし、笠木部材を支柱に強固に固定しようとすると、1つの支柱に対して複数のＬ型ブラケットを用いなければならず、それだけ部品点数が多くなって、組立の手間も増大する不具合がある。
【発明の開示】
【発明が解決しようとする課題】
【０００４】
本発明は以上の実情に鑑みて開発したものであって、目的とするところは、笠木部材を塀本体に安定よく強固に固定することが出来ながら、しかも笠木部材を塀本体に固定するための部材が不用意に外部に露呈するのを抑制することが出来る塀構造を提供するにある。
【課題を解決するための手段】
【０００５】
以上の目的を達成するため、請求項１に記載の発明は、所定間隔開けて配設される支柱間に遮蔽材を介装してなる塀本体と、この塀本体の上端に沿って配設される笠木部材とが備えられた塀構造において、支柱の上端に、支柱の上端の形状よりも大きな平板状の連結板を螺子体を介して固定すると共に、この連結板の上面に笠木部材の底壁の下面を重ね、螺子体を連結板の下面側から連結板及び笠木部材に螺締して笠木部材を連結板に固定するようにしていることを特徴とするものである。
【０００６】
請求項１に記載の塀構造では、連結板が支柱の側面に露呈するようなことがない。
【０００７】
また請求項２に記載の発明は、請求項１に記載の塀構造に用いる笠木部材であって、その底壁の下面には、連結板が嵌合可能な嵌合溝が設けられていることを特徴とするものである。
【０００８】
請求項２に記載の笠木部材では、嵌合溝に連結板を嵌合させることで、連結板に対する笠木部材の取付姿勢乃至取付位置を設定することが出来る。
【発明の効果】
【０００９】
請求項１に記載の発明によれば、連結板が支柱の側面に露呈するようなことがないので、塀の外観を良好とすることが出来るし、しかも笠木部材を塀本体に安定よく強固に固定することが出来る。
【００１０】
請求項２に記載の発明によれば、塀本体に対する笠木部材の取付が簡単且つ正確に行うことが出来る。
【発明を実施するための最良の形態】
【００１１】
図１おいて符号１で概略的に示す塀は、基本的には、所定間隔開けて配設される支柱２間に遮蔽材３を介装してなる塀本体４と、この塀本体４の上端に沿って配設される笠木部材５とが備えられている。
【００１２】
塀本体４を構成する支柱２は、横断面正方形としたアルミニウム製の角パイプから構成されている。
【００１３】
支柱２内部の側面には、複数のリブ２１が突設され、支柱２内の四隅に設けられたリブ２１には、支柱２の長さ方向に延びるねじ取付孔２２が設けられている。
【００１４】
遮蔽材３は、合成樹脂材料から成り、竹を長さ方向に分割して成る複数の分割竹片が並べられた状態に見えるように、平面視において緩い円弧が連続する略波形に形成されている。
【００１５】
尚、この遮蔽材３は、所定間隔開けて立設する支柱２間に複数の胴縁（図示せず）を架設して、この胴縁に止め具により固定するようにしている。
【００１６】
笠木部材５はアルミニウム材料から形成されているのであって、この笠木部材５は、図２にも示すように、屋根状に傾斜する左右上壁部５１・５２と、これら左右上壁部５１・５２の両端を結ぶ底壁部５３とにより側面視略二等辺三角形状に形成されると共に、左右の各上壁部５１・５２と底壁部５３との間には、これら左右の各上壁部５１・５２と底壁部５３とを結ぶ補強壁部５４・５５が架設されている。
【００１７】
また図に示す実施形態では、底壁部５３の下面側には、後記する連結板６が嵌合可能な嵌合溝５６が設けられている。
【００１８】
連結板６は、支柱２の上端に笠木部材５を固定するのに用いるものであって、図に示す連結板６は、支柱２の横断面形状よりも一回り大きくした平面視正方形のアルミニウム板から成り、この連結板６には、図３にも示すように、支柱２に設けられたねじ取付孔２２に対応する４つの支柱取付用ねじ挿通孔６１が設けられている。
【００１９】
支柱取付用ねじ挿通孔６１は、図３にも示すように、横断面形状の大きさ若しくは形状の異なる支柱２が取付可能なように、複数組設けられている。
【００２０】
またこの連結板６の四隅には、笠木部材を連結板に取り付けるための笠木部材取付用ねじ挿通孔６２が設けられている。
【００２１】
以上の構成からなる塀構造にあっては、まず、支柱２の上端に連結板６を当てがって、タッピングスクリューから成る螺子体７を、連結板６に形成された支柱取付用ねじ挿通孔６１に挿通すると共に、その挿通端部を、支柱２に設けたねじ取付孔２２に螺締することで、連結板６を支柱２の上端に組み付ける。
【００２２】
続いて、この連結板６上に笠木部材５を載置すると共に、その底壁部５３に設けた嵌合溝５６内に連結板６を嵌合させて、連結板６に対する笠木部材５の取付姿勢乃至取付位置を設定した上で、タッピングスクリューから成る螺子体８を、連結板６の下面側から笠木部材取付用ねじ挿通孔６２に挿通して、その挿通端部を笠木部材５の底壁部５３に螺締することで、笠木部材５を連結板６に固定する。
【００２３】
斯くして、以上の塀構造では、Ｌ型ブラケットの一方の固定片を支柱の上端部側面にビス止めすると共に、もう一方の固定片を笠木部材の下面にビス止めして、笠木部材を支柱の上端に固定する従来の塀構造のように、固定片が支柱の側面から露呈するような不具合がなく、全体として、塀１の外観を良好とすることが出来るのは勿論のこと、笠木部材５の支柱２への固定が、安定よくしかも簡単且つ強固に行えるに至ったのである。
【００２４】
以上の実施形態では、支柱２、笠木部材３及び連結板６をそれぞれアルミニウム材料から形成したが、これに限定されるものではなく、例えば合成樹脂材料、あるいは木材から形成してもよい。
【００２５】
また以上の実施形態では、遮蔽材３を合成樹脂材料から形成したが、、これに限定されるものではなく、例えば金属材料若しくは天然の木材や竹材などから形成してもよい。
【００２６】
また以上の実施形態では、笠木部材３を側面視略二等辺三角形状に形成したが、これに限定されるものではない。
【図面の簡単な説明】
【００２７】
【図１】本発明にかかる塀構造を採用した塀の概略正面図。
【図２】笠木部材の要部の概略斜視図。
【図３】支柱と連結板の分解斜視図。
【図４】支柱の上端部に取り付けられた連結板の平面図。
【図５】支柱の上端に固定された笠置部材の取付状態を示す要部の断面図。
【符号の説明】
【００２８】
１        塀
２        支柱
３        遮蔽材
３３      底壁部
３６      嵌合溝
４        塀本体
５        笠木部材
５３      底壁部
５６      嵌合溝
６        連結板
８        螺子体
【図１】
2005054495.tif 000003
【図２】
2005054495.tif 000004
【図３】
2005054495.tif 000005
【図４】
2005054495.tif 000006
【図５】
2005054495.tif 000007